(57)【要約】【課題】同軸度を適切に制御できるコネクタを提供する。【解決手段】ボディとボディに挿入されるコンタクトを含むコネクタであって、コンタクトは、その挿入方向と垂直な方向に突出された突出部と、コンタクトの外周に設けられた突起と、挿入方向と垂直な方向に張り出された張り出し部を含み、ボディはその内側面に、突出部と嵌り合い、挿入方向に延伸された案内溝と、突起を含むコンタクトが圧入される内法とされた収容部と、張り出し部を含むコンタクトが圧入される内法とされた圧入部を含み、突出部が案内溝に嵌り合い始めてから最終位置に至るまでの、突出部の挿入距離Ａと、突起の圧入が開始されてから最終位置に至るまでの、突起の挿入距離Ｂと、張り出し部の圧入が開始されてから最終位置に至るまでの、張り出し部の挿入距離Ｃとが、Ａ＞Ｂ＞Ｃの関係となる。【選択図】図７
2020087530.tif 000002
【特許請求の範囲】
【請求項１】
ボディと前記ボディに挿入されるコンタクトを含むコネクタであって、
前記コンタクトは、
その挿入方向と垂直な方向に突出された突出部と、
前記コンタクトの外周に設けられた突起と、
前記挿入方向と垂直な方向に張り出された張り出し部を含み、
前記ボディはその内側面に、
前記突出部と嵌り合い、前記挿入方向に延伸された案内溝と、
前記突起を含む前記コンタクトが圧入される内法とされた収容部と、
前記張り出し部を含む前記コンタクトが圧入される内法とされた圧入部を含み、
前記突出部が前記案内溝に嵌り合い始めてから最終位置に至るまでの、前記突出部の挿入距離Ａと、
前記突起の圧入が開始されてから最終位置に至るまでの、前記突起の挿入距離Ｂと、
前記張り出し部の圧入が開始されてから最終位置に至るまでの、前記張り出し部の挿入距離Ｃとが、
Ａ＞Ｂ＞Ｃの関係となる
コネクタ。
【請求項２】
請求項１に記載のコネクタであって、
前記コンタクトは、
前記挿入方向の先端に位置し、先細に形成された先端部と、
前記挿入方向の末端に位置し、扁平に形成された末端部と、
前記先端部と前記末端部の間に位置し、前記先端部と前記末端部を接続する本体部を含み、
前記突出部および前記突起は前記本体部に形成され、
前記張り出し部は前記末端部に形成され、
前記収容部は、前記突起を含む前記本体部が圧入される内法とされ、
前記圧入部は、前記張り出し部を含む前記末端部が圧入される内法とされた
コネクタ。
【請求項３】
請求項２に記載のコネクタであって、
前記収容部の内周に、
前記先端部の挿入を妨げず、前記本体部の挿入を圧入可能な程度に妨げる大きさの凸部が形成され、
前記本体部の挿入が妨げられ始めてから最終位置に至るまでの、前記本体部の挿入距離Ｄが、
Ａ＞Ｄ＞Ｃの関係となる
コネクタ。
【請求項４】
請求項２または３に記載のコネクタであって、
前記突起は、前記本体部の外周にそれぞれ１２０度の間隔を空けて３つ形成された
コネクタ。
【請求項５】
請求項３に記載のコネクタであって、
前記凸部は、前記収容部の内周にそれぞれ１２０度の間隔を空けて３つ形成された
コネクタ。
【請求項６】
請求項１から５の何れかに記載のコネクタであって、
前記案内溝は、
前記突出部の突出方向およびその反対方向に変形可能な片持ちバネの一部に形成され、前記コンタクトの挿入方向先端側に進むにつれ、案内溝の深さが浅くなるように傾斜した傾斜部を含み、
前記片持ちバネの挿入方向先端側に隣接し、前記突出部を最終位置で収容する孔を含む
コネクタ。
【発明の詳細な説明】
【技術分野】
【０００１】
本発明は、コネクタに関する。
【背景技術】
【０００２】
従来のコネクタとして、例えば特許文献１がある。特許文献１のコネクタは、コネクタハウジング内において端子金具が回転することを抑制することを課題とし、円筒状の筒状接続部を有する外導体端子を内部に保持する樹脂製のコネクタハウジングを備え、コネクタハウジングの内部に形成され、筒状接続部が挿入される端子収容部と、端子収容部の左右方向両側に位置する内壁に凹んで形成され、前後方向に沿って延びる案内溝と、筒状接続部の外面から先細り状に径方向外側に突出して形成され、案内溝に収容されることで、案内溝の左右方向両側に位置する両側内壁に圧入されるハウジング圧入突起を備える。
【先行技術文献】
【特許文献】
【０００３】
【特許文献１】特許第５７５１９８号公報
【発明の概要】
【発明が解決しようとする課題】
【０００４】
コネクタにおいて、各部品の同軸度は、嵌合に関わる重要な項目であるが、コネクタの小型化、構造の複雑化により、各部品の同軸度を適切に制御することが難しい場合があった。例えば、特許文献１のコネクタは位置決め片と位置決め片収容凹部（スリット）によって位置制御され、ハウジング圧入突起（凸部）によって位置決めと保持を行っているが、同軸度については考慮されていないため、必要な同軸度が確保できていない可能性がある。
【０００５】
そこで本発明では、同軸度を適切に制御できるコネクタを提供することを目的とする。
【課題を解決するための手段】
【０００６】
本発明は、ボディとボディに挿入されるコンタクトを含むコネクタである。コンタクトは、その挿入方向と垂直な方向に突出された突出部と、コンタクトの外周に設けられた突起と、挿入方向と垂直な方向に張り出された張り出し部を含む。ボディはその内側面に、突出部と嵌り合い、挿入方向に延伸された案内溝と、突起を含むコンタクトが圧入される内法とされた収容部と、張り出し部を含むコンタクトが圧入される内法とされた圧入部を含む。突出部が案内溝に嵌り合い始めてから最終位置に至るまでの、突出部の挿入距離Ａと、突起の圧入が開始されてから最終位置に至るまでの、突起の挿入距離Ｂと、張り出し部の圧入が開始されてから最終位置に至るまでの、張り出し部の挿入距離Ｃとが、Ａ＞Ｂ＞Ｃの関係となる。
【発明の効果】
【０００７】
本発明のコネクタによれば、同軸度を適切に制御できる。
【図面の簡単な説明】
【０００８】
【図１】実施例１のコネクタのコンタクト、ボディ、およびシェルの斜視図。
【図２】図２Ａは、実施例１のコネクタのボディの２−２断面における断面図、図２Ｂは、コンタクトの右側面図。
【図３】実施例１のコネクタのコンタクトの正面図。
【図４】実施例１のコネクタのボディの４−４断面における断面図。
【図５】実施例１のコネクタのボディの５−５断面における断面図。
【図６】実施例１のコネクタのボディの６−６断面における断面図。
【図７】実施例１のコネクタのボディおよびコンタクトの２−２断面における断面図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
本実施例のコネクタは、図１に示すように、コンタクト１と、ボディ２と、略円筒形のシェル３を含む構成である。コンタクト１はボディ２に挿入される。ボディ２はシェル３に挿入される。ボディ２は絶縁体（例えば樹脂）である。コンタクト１、シェル３は金属である。
【００１１】
＜先端部１６、本体部１７、末端部１８＞
図２Ｂ、図３に示すように、コンタクト１は、コンタクト挿入方向の先端に位置し、先細な円錐台形の筒状に形成された先端部１６と、コンタクト挿入方向の末端に位置し、扁平な板を複数回折り曲げた形状の末端部１８と、先端部１６と末端部１８の間に位置し、先端部１６と末端部１８を接続する円筒形の本体部１７を含む。末端部１８は、扁平な短冊形状の金属板をクランク形に折り曲げて形成されており、具体的には、コンタクト挿入方向の逆方向に延伸する延伸部１３と、延伸部１３の末端から延伸部１３の延伸方向と垂直な方向（図２Ｂ、図３では下方向）に屈曲して延伸する屈曲部１２と、屈曲部１２の末端からコンタクト挿入方向の逆方向に屈曲して延伸する末尾部１１を含む。
【００１２】
＜突出部１５＞
図２Ｂ、図３に示すように、本体部１７には、コンタクト挿入方向と垂直な方向（図２Ｂ、図３では上方向）に突出された突出部１５が形成される。突出部１５の周囲の本体部１７の側面（円筒面）に切欠き１５ａが形成されている。
【００１３】
＜突起１４＞
図２Ｂ、図３に示すように、本体部１７の外周（円筒面）には、突起１４が、それぞれ１２０度の間隔を空けて合計３つ、コンタクト挿入方向と垂直な同一面内に、形成されている。突起１４の個数に制限はない。例えば、突起１４を４つ、または５つ形成してもよい。後述するように、この突起は、コネクタの同軸度を調整するための部位であるため、３つ以上形成すれば好適である。
【００１４】
＜張り出し部１３ａ＞
延伸部１３の両側には、コンタクト挿入方向と垂直な方向（図２Ｂ，図３では水平方向）に、棘状に張り出された張り出し部１３ａが形成されている。
【００１５】
＜案内溝２１＞
図２Ａおよび図５に示すように、ボディ２は、その内側面に、突出部１５と嵌り合い、コンタクト挿入方向に延伸された案内溝２１を含む。案内溝２１は、突出部１５の突出方向（ボディ２の内側から外側に向かう方向）およびその反対方向（コンタクト１側に沈み込む方向）に変形可能な片持ちバネ２３の一部に形成される。
【００１６】
＜傾斜部２１ａ＞
案内溝２１は、コンタクト挿入方向先端側に進むにつれ、案内溝２１の深さが浅くなる向きに傾斜した傾斜部２１ａを含む。
【００１７】
＜片持ちバネ２３、孔２４＞
より詳細には、案内溝２１の周囲の側面（円筒面）に案内溝２１をコの字形（Ｕ字形）に取り囲む孔２４が形成されている。孔２４により棒状にくり抜かれた部分（案内溝２１を含む部分）が、上述の方向に変形可能な片持ちバネ２３である。孔２４のコンタクト挿入方向先端側は、片持ちバネ２３のコンタクト挿入方向先端側に隣接し、図７に示すように、コンタクト１の突出部１５を最終位置で収容する。
【００１８】
＜突出部１５と案内溝２１の嵌合＞
コンタクト１の突出部１５は、案内溝２１に嵌合して、案内溝２１に挿入される。同軸度の制御に影響を与えないようにするため、突出部１５を、案内溝２１にスムーズに挿通できる程度の高さとすれば好適である。突出部１５が傾斜部２１ａを通過する際、突出部１５は、本体部１７内に沈み込む方向に弾性変形する。このとき、片持ちバネ２３は、突出部１５の突出方向に弾性変形する。突出部１５が傾斜部２１ａを通過した後、孔２４に嵌りこむことにより、突出部１５を本体部１７側に沈み込む方向に押し込む力が解除されて初期状態に戻る。このとき、片持ちバネ２３をボディ２の外側に隆起させる力が解除されて初期状態に戻る。この状態において、コンタクト１に引き抜き方向（コンタクト挿入方向と逆方向）の力が加えられたとしても、片持ちバネ２３の先端が突出部１５に係り合うため、コンタクト１を引き抜くことは出来ない。すなわち、片持ちバネ２３はコンタクト１の抜け止め機構として機能する。
【００１９】
＜収容部２６＞
図２Ａおよび図５に示すように、ボディ２は、突起１４を含む本体部１７が圧入される内法とされた、断面円形の収容部２６を含む。
【００２０】
＜ノッチ２２＞
図２Ａおよび図６に示すように、ボディ２は、張り出し部１３ａを含む延伸部１３が圧入される内法とされたノッチ２２を含む。ノッチ２２は、圧入部２２とも呼称される。
【００２１】
＜凸部２５＞
図２Ａおよび図４に示すように、ボディ２の収容部２６の内周に、先端部１６の挿入を妨げず、本体部１７の挿入を圧入可能な程度に妨げる大きさの凸部２５が形成される。図４に示すように、凸部２５は、それぞれ１２０度の間隔を空けて合計３つ、コンタクト挿入方向と垂直な同一面内に形成されている。凸部２５の個数に制限はない。例えば、凸部２５を４つ、または５つ形成してもよい。後述するように、この凸部２５は、コネクタの同軸度を調整するための構成であるため、３つ以上形成すれば好適である。
【００２２】
＜挿入距離Ａ，Ｂ，Ｃ，Ｄ＞
コンタクト１とボディ２の位置決めを制御する突出部１５、突起１４、張り出し部１３ａ、凸部２５の位置関係を規定することにより、コンタクト１の位置決めの順序を規定することができる。上記各部位の挿入距離Ａ，Ｂ，Ｃ，Ｄについて以下に説明する。図７に示すように、コンタクト１の各部位の最終位置を黒三角形の記号で表すこととする。突出部１５が案内溝２１に嵌り合い始めてから（図中、ａを付した白三角形の記号の位置）、最終位置（図中、ａを付した黒三角形の記号の位置）に至るまでの、突出部１５の挿入距離をＡとする。また、突起１４の圧入が開始されてから（図中、ｂを付した白三角形の記号の位置）、最終位置（図中、ｂを付した黒三角形の記号の位置）に至るまでの、突起１４の挿入距離をＢとする。また、張り出し部１３ａの圧入が開始されてから（図中、ｃを付した白三角形の記号の位置）、最終位置（図中、ｃを付した黒三角形の記号の位置）に至るまでの、張り出し部１３ａの挿入距離をＣとする。また、本体部１７の挿入が妨げられ始めてから（図中、ｄを付した白三角形の記号の位置）、最終位置（図中、ｄを付した黒三角形の記号の位置）に至るまでの、本体部１７の挿入距離をＤとする。
【００２３】
＜Ａ，Ｂ，Ｃの大小関係＞
Ａ，Ｂ，Ｃの大小関係については、Ａ＞Ｂ＞Ｃの関係となるように、各部位の位置を決定すれば好適である。前述のＡ，Ｂ，Ｃ，Ｄは最終位置（黒三角形）に至るまでの各部位の挿入距離を意味しているが、この挿入距離が長ければ長いほど、組立時に該当する部位が嵌合し始めるタイミングが早くなることを意味する。Ａ＞Ｂ＞Ｃが成り立つ場合、三つの長さのうちＡが最長となるため、コンタクト１を挿入し始めてから、一番最初に突出部１５および案内溝２１が嵌合することを意味する。また、Ｂが二番目の長さ、Ｃが三番目の長さであるため、突出部１５および案内溝２１の嵌合が開始された後、突起１４の圧入が開始され、突起１４の圧入が開始された後、張り出し部１３ａの圧入が開始されることを意味する。これにより、まず突出部１５および案内溝２１により、コンタクト１の挿入方向を軸とする回転が制御され、次に、突起１４の圧入によってボディ２の中心とコンタクト１の中心とが揃うように同軸度が制御され、最後に張り出し部１３ａの圧入によって、ボディ２に対してコンタクト１が固定（係止）されるという順序で、ボディ２に対するコンタクト１の位置決めが可能となる。これにより、回転方向の制御→同軸度の制御→固定（係止）という順序でコネクタを組み立てることが可能になるため、同軸度を確保しつつ信頼性が高いコネクタを提供することが可能となる。
【００２４】
＜Ａ，Ｄ，Ｃの大小関係＞
Ａ，Ｄ，Ｃの大小関係については、Ａ＞Ｄ＞Ｃの関係となるように、各部位の位置を決定すれば好適である。Ａ＞Ｄ＞Ｃが成り立つ場合、三つの長さのうちＡが最長となるため、コンタクト１を挿入し始めてから、一番最初に突出部１５および案内溝２１が嵌合することを意味する。また、Ｄが二番目の長さ、Ｃが三番目の長さであるため、突出部１５および案内溝２１の嵌合が開始された後、本体部１７の圧入が開始され、本体部１７の圧入が開始された後、張り出し部１３ａの圧入が開始されることを意味する。これにより、まず突出部１５および案内溝２１により、コンタクト１の挿入方向を軸とする回転が制御され、次に、本体部１７の圧入によってボディ２の中心とコンタクト１の中心とが揃うように同軸度が制御され、最後に張り出し部１３ａの圧入によって、ボディ２に対してコンタクト１が固定（係止）されるという順序で、ボディ２に対するコンタクト１の位置決めが可能となる。
【００２５】
＜突起１４と凸部２５、ＢとＤの大小関係＞
突起１４と凸部２５は何れも同軸度を制御するための部位である。突起１４と凸部２５の双方を設けることにより、コネクタ挿入方向の前後二箇所において、ボディ２とコンタクト１の同軸度を制御することができるため、ボディ２に対するコンタクト１の軸の歪みをより正確に補正することができる。突起１４と凸部２５の役割は同じであるため、挿入距離Ｂと挿入距離Ｄの大小関係について特に制限はない。
【００２６】
＜案内溝２１および片持ちバネ２３と本体部１７の関係＞
案内溝２１および片持ちバネ２３は、本体部１７と接触しない構造とされていれば好適である。これにより、案内溝２１および片持ちバネ２３が、ボディ２とコンタクト１の同軸度の制御に関与しないため、突起１４と凸部２５のみで、コネクタの同軸度を制御することができる。
【符号の説明】
【００２７】
１    コンタクト
１１    末尾部
１２    屈曲部
１３    延伸部
１３ａ    張り出し部
１４    突起
１５    突出部
１５ａ    切欠き
１６    先端部
１７    本体部
１８    末端部
２    ボディ
２１    案内溝
２１ａ    傾斜部
２２    ノッチ（圧入部）
２３    片持ちバネ
２４    孔
２５    凸部
２６    収容部
【図１】
2020087530.tif 000003
【図２】
2020087530.tif 000004
【図３】
2020087530.tif 000005
【図４】
2020087530.tif 000006
【図５】
2020087530.tif 000007
【図６】
2020087530.tif 000008
【図７】
2020087530.tif 000009